(57)【特許請求の範囲】
【請求項１】
殻体と、前記殻体内に設けられたモータと、前記モータに駆動される伝動モジュールと、前記伝動モジュールに駆動されてかつ前記殻体の底部から伸びる複数のマッサージヘッドモジュールと、を含み、
前記伝動モジュールは、ウォームギヤー減速モジュールと、前記ウォームギヤー減速モジュールに駆動されて複数の前記マッサージヘッドモジュールをそれぞれ駆動するための複数の駆動歯車と、を含み、
前記複数の駆動歯車は、前記殻体内に水平に設置されており、
各前記マッサージヘッドモジュールは、回転軸と、固定モジュールと、マッサージヘッドと、を含み、
前記回転軸は、前記固定モジュールを貫通し、その上端が各前記駆動歯車に斜めに挿設され、その中央部にボールが設けられてかつ前記固定モジュール内に回転可能に設置され、その下端が前記殻体から伸び、
前記マッサージヘッドは、前記回転軸の下端に固定され、
前記固定モジュールは、
第一貫通孔を有する台座と、前記第一貫通孔の上部に嵌め込まれている固定カバーと、を含み、
前記固定カバー内に第二貫通孔があり、前記第二貫通孔は前記第一貫通孔と繋がってかつ囲んで前記ボールを収納するための球形凹溝を形成し、
前記台座は、前記第一貫通孔の外周から上方に突出する第一突出部と、当該第一突出部の外周から上方に突出し、当該第一突出部より高い第二突出部と、を備え、前記第一突出部と前記第二突出部とは上下方向に切断したときの断面形状が階段状であり、
前記固定カバーは、前記第二貫通孔の外周から上方に伸長してから屈曲して外側に延在する屈曲部材を備え、
前記台座に前記固定カバーが嵌め込まれると、前記屈曲部材の先端が前記第二突出部に係合し、前記屈曲部材の屈曲する部分が前記第一突出部の先端に係合する、
ことを特徴とする頭皮マッサージ装置。
【請求項２】
前記ボールの表面に回転角度を制限するための回転止めヘッドが設けられた、
ことを特徴とする請求項１に記載の頭皮マッサージ装置。
【請求項３】
前記マッサージヘッドモジュールは、さらに防水ゴムカバーを含み、
前記防水ゴムカバーは、前記固定モジュールと前記殻体との間に挟設された開口端及び穿孔を有する閉鎖端を備え、
前記回転軸は、下端が前記穿孔から伸びる、
ことを特徴とする請求項１に記載の頭皮マッサージ装置。
【請求項４】
前記マッサージヘッドモジュールは、さらにマッサージヘッド固定部材を含み、
前記マッサージヘッド固定部材は、前記回転軸の下端に固定され、その先端が前記防水ゴムカバーに固定接続され、その下端部が前記マッサージヘッドに固定接続された、
ことを特徴とする請求項３に記載の頭皮マッサージ装置。
【請求項５】
前記防水ゴムカバーに前記穿孔の外側に位置する取付溝が環状的に設けられ、
前記マッサージヘッド固定部材は、先端が前記取付溝内に入り込み、その先端の端面に係合ブロック係合部が設けられ、
前記係合ブロック係合部に係合できる係合ブロックが設けられた、
ことを特徴とする請求項４に記載の頭皮マッサージ装置。
【請求項６】
前記マッサージヘッド固定部材は、中心孔を備え、
前記回転軸は、下端が前記中心孔内に挿設されており、
前記マッサージヘッドは、上端面に取付孔を備え、
前記マッサージヘッド固定部材の下端部が前記取付孔内に固定された、
ことを特徴とする請求項４に記載の頭皮マッサージ装置。
【請求項７】
前記ウォームギヤー減速モジュールは、前記モータの出力軸に固定されたウォームと、前記ウォームの両側に位置してかつ前記ウォームと噛合する二つのウォームホイールと、前記二つのウォームホイールと噛合する二つのギヤーセットとを含む、
ことを特徴とする請求項１に記載の頭皮マッサージ装置。
【請求項８】
前記駆動歯車は、四つあり、
各前記ギヤーセットは、二つの前記駆動歯車の間に位置し、同軸に設置された上歯車と、下歯車とを含み、
前記下歯車は、前記ウォームホイールと噛合し、
前記上歯車は、前記二つの駆動歯車と噛合する、
ことを特徴とする請求項７に記載の頭皮マッサージ装置。
【請求項９】
各前記マッサージヘッドは、上部に位置する台座と、前記台座の底部に設置された複数のマッサージ接触端と、を含み、
前記台座の断面は円形を呈し、
複数の前記マッサージ接触端は、円形状の台座の外縁部に沿って環状に配列された複数の第一マッサージ接触端と、複数の前記第一マッサージ接触端の内側に位置して環状に配列された複数の第二マッサージ接触端と、複数の前記第二マッサージ接触端の内側に位置して環状に配列された複数の第三マッサージ接触端と、を含む、
ことを特徴とするとする請求項１に記載の頭皮マッサージ装置。
【請求項１０】
複数の前記第一マッサージ接触端は、同じ高さを備え、
複数の前記第二マッサージ接触端は、同じ高さを備え、
複数の前記第三マッサージ接触端は、同じ高さを備える、
ことを特徴とする請求項９に記載の頭皮マッサージ装置。
【請求項１１】
複数の前記第一マッサージ接触端の高さは、複数の前記第二マッサージ接触端の高さより低く、
複数の前記第二マッサージ接触端の高さは、複数の前記第三マッサージ接触端の高さより低い、
ことを特徴とする請求項１０に記載の頭皮マッサージ装置。
【請求項１２】
複数の前記第一マッサージ接触端と、複数の前記第二マッサージ接触端と、複数の前記第三マッサージ接触端は、いずれも円錐台形状である、
ことを特徴とする請求項９に記載の頭皮マッサージ装置。
【発明の詳細な説明】
【技術分野】
【０００１】
本発明は、マッサージ装置の技術分野に属し、さらに具体的に言えば、頭皮マッサージ装置に関する。
【背景技術】
【０００２】
既存の市販のマッサージ装置において、特に小型マッサージ装置、例えば頭部マッサージ装置は、装置の本体の寸法が限られ、より大きなモータで駆動することができない。モータのパワーを減少させるために、内部伝動構造は、通常カム機構により実現される。しかしながら、カム機構の摩擦力が大きく、パワーロスも大きいため、頭部をマッサージするマッサージ力が小さくなるという問題がある。
【発明の概要】
【発明が解決しようとする課題】
【０００３】
本発明の実施例の目的は、第一の観点において、従来技術の頭部マッサージ装置の寸法が限定されているので、内部伝動構造のパワーロスが大きく、マッサージ力が小さくなるという技術的問題を解決するための頭皮マッサージ装置を提供することにある。
【課題を解決するための手段】
【０００４】
技術的問題を解決するために、本発明の実施例が採用した技術的手段は、以下のとおりである。
【０００５】
第一の観点において提供された頭皮マッサージ装置は、殻体と、前記殻体内に設けられたモータと、前記モータに駆動される伝動モジュールと、前記伝動モジュールに駆動されてかつ底部が前記殻体から伸びる複数のマッサージヘッドモジュールとを、含む。
前記伝動モジュールは、ウォームギヤー減速モジュールと、前記ウォームギヤー減速モジュールに駆動されて複数の前記マッサージヘッドモジュールをそれぞれ駆動するための複数の駆動歯車と、を含む。
前記複数の駆動歯車は、前記殻体内に水平に設置されている。
各前記マッサージヘッドモジュールは、ロッカーレバーと、固定モジュールと、マッサージヘッドと、を含む。
前記ロッカーレバーは、前記固定モジュールを貫通し、前記ロッカーレバーの上端が各前記駆動歯車に斜めに挿設され、その中央部にボールが設けられてかつ前記ボールヘッドは前記固定モジュール内に回転可能に設置され、前記ロッカーレバーの下端が前記殻体から伸びる。
前記マッサージヘッドは、前記ロッカーレバーの下端に固定されている。
【発明の効果】
【０００６】
本発明の実施例が提供した頭皮マッサージ装置は、従来技術に比べ、以下の有益な効果を有する。
頭皮マッサージ装置において、モータは作動する際に、ウォームギヤー減速モジュールを駆動する。ウォームギヤー減速モジュールは、四つの駆動歯車を駆動して回転させる。各駆動歯車が回転する際に、各マッサージヘッドモジュールのロッカーレバーの上端を駆動して回転させる。ロッカーレバーのボールが固定モジュール内で回転し、それによってマッサージヘッドを駆動して揺動作動をさせる。歯車でロッカーレバーを駆動するような伝動構造は、運動部品間の摩擦力を効果的に低下させ、伝動過程におけるパワー損失を大幅に低下させるため、小さなモータで強力なマッサージ動作を実現することができる。また、本実施例において、マッサージヘッドの揺動作動が手で頭皮を引掻く動作に模擬するため、ユーザの使用体験を向上させる。
【０００７】
本発明の実施例の技術的解決手段をより明らかにするために、以下、実施例又は従来技術の説明に使用される必要がある図面を簡単に説明する。以下の説明における図面は、本発明のいくつかの実施例に過ぎない。本分野の通常の技術者は、創造的な労働をしなくても、これらの図面により他の図面を獲得することができる。
【図面の簡単な説明】
【０００８】
【図１】本発明の実施例による頭皮マッサージ装置の構造概略図である。
【図２】本発明の実施例による頭皮マッサージ装置の殻体を外した構造概略図である。
【図３】本発明の実施例による頭皮マッサージ装置の殻体の上部を外した構造概略図である。
【図４】本発明の実施例による頭皮マッサージ装置の断面図である。
【図５】図４のＡ箇所の拡大図である。
【図６】他の角度からの本発明の実施例による頭皮マッサージ装置の断面概略図である。
【図７】本発明の実施例による頭皮マッサージ装置のマッサージヘッドの構造概略図である。
【図８】他の角度からの本発明の実施例による頭皮マッサージ装置のマッサージヘッドの構造概略図である。
【図９】他の角度からの本発明の実施例による頭皮マッサージ装置のマッサージヘッドの構造概略図である。
【図１０】本発明の実施例による頭皮マッサージ装置のマッサージヘッドの断面図である。
【発明を実施するための形態】
【０００９】
本発明の目的、技術的解決手段及び利点をより明らかにするために、以下、図面及び実施例を合わせて本発明をより詳細に説明する。ここで説明される具体的な実施例は、本発明を解釈するためのものに過ぎず、本発明を限定するためのものではないことを理解すべきである。
【００１０】
ある部品が他の部品に“固定される”又は“設置される”場合、それが他の部品に直接的に又は間接的に位置してもよいと理解するために説明する必要がある。ある部品が他の部品に“接続される”場合、それが他の部品に直接的に又は間接的に接続されてもよい。
【００１１】
本発明の実施例における図面に同じ又は類似した番号は、同じ又は類似した部品に対応するという点を説明する必要がある。上述の用語において、”上”、“下”、“左”、“右”等が標示した方向又は位置関係は、図面に示された方向又は位置関係に基づいて、本発明を説明しやすく及び説明を簡略化するためのものに過ぎず、装置又は部品が特定の方向を有し、特定の方向で構成されて操作する必要があることを指す又は暗示するためのものではない。従って、図面に位置関係を説明するための用語は、例示的説明にのみに用いられ、本発明を限定するためものではないことを理解すべきである。本分野の通常の技術者は、具体的な例により上述した用語の具体的な意味を理解してもよい。
【００１２】
また、“第一”、“第二”等の用語は説明する目的のみに用いられ、重要性を指す、暗示する、又は提出した技術的特徴の数量を暗示するためのものではないことを理解すべきである。従って、限定された“第一”、“第二”の特徴は、一つ又はさらに多くの該特徴を含むことを明示又は暗示してもよい。本発明の説明において、“複数”の意味は、明確で具体的な限定以外、二つ又は二つ以上を指す。
【００１３】
本発明が述べた前記技術的解決手段を説明するために、具体的な図面を合わせて具体的な実施例により本発明による頭皮マッサージ装置を詳細に説明する。
【００１４】
図１〜図６に示すように、本発明の実施例が提供する頭皮マッサージ装置は、殻体１００と、殻体１００内に設けられたモータ２００と、モータ２００に駆動される伝動モジュール３００と、伝動モジュール３００に駆動されてかつ殻体１００の底部から伸びる複数のマッサージヘッドモジュール４００（本実施例では四つある。）とを、含む。
伝動モジュール３００は、ウォームギヤー減速モジュール３１０と、ウォームギヤー減速モジュール３１０により駆動される複数の駆動歯車３２０（本実施例では四つある。）とを含む。
四つの駆動歯車３２０は、前記殻体内１００に水平に設置され、四セットのマッサージヘッドモジュール４００をそれぞれ駆動する。
各マッサージヘッドモジュール４００は、ロッカーレバー４１０と、固定モジュール４２０と、マッサージヘッド４３０とを含む。
ロッカーレバー４１０は、固定モジュール４２０を貫通する。駆動歯車３２０に傾斜孔３２１がある。ロッカーレバー４１０は、上端が、傾斜孔３２１内に挿設され、その中央部にボールヘッド４１１が設けられてかつ固定モジュール４２０内に回転可能に設置され、その下端が、殻体１００から伸びる。
マッサージヘッド４３０は、ロッカーレバー４１０の下端に固定されている。
【００１５】
本実施例において、モータ２００が作動すると、ウォームギヤー減速モジュール３１０が駆動される。ウォームギヤー減速モジュール３１０は、四つの駆動歯車３２０を駆動して回転させる。各駆動歯車３２０が回転すると、各マッサージヘッド４３０モジュール４００のロッカーレバー４１０の上端を駆動して回転させる。ロッカーレバー４１０のボール４１１が固定モジュール４２０内で回転し、それによってマッサージヘッド４３０を駆動して揺動作動をさせる。歯車でロッカーレバー４１０を駆動する伝動構造は、運動部品間の摩擦力を効果的に減らし、伝動過程におけるパワー損失を大幅に低下させるため、より小さなモータ２００で強力なマッサージ動作を実現することができる。また、本実施例において、マッサージヘッド４３０の揺動作動が手で頭皮を引掻く動作に模擬するため、ユーザの使用体験を向上させる。
【００１６】
図２、図３に示すように、本実施例において、モータ２００が殻体１００内に水平に設置されている。ウォームギヤー減速モジュール３１０、四つの駆動歯車３２０は、それぞれモータ２００の両側に位置する。このような配置は、殻体１００の内部構造を最適化させると同時に、殻体１００全体の厚さが薄くなり、製品全体の構造が小さくなり、携帯、収納の際にさらに便利になる。また、本実施例による頭皮マッサージ装置の全体構造が小さくなるため、その外観を鶏卵石の形状に設計し、その芸術性を高め、ユーザは、時間の余裕がある時に観賞や手遊びもできる。
【００１７】
図２、図４、図５に示すように、本実施例において、固定モジュール４２０は、貫通した球形凹溝４２１を備える。ボール４１１は球形凹溝４２１内に設置されている。具体的には、固定モジュール４２０は、台座４２２と、台座４２２と嵌め合う固定カバー４２３とを含む。台座４２２内に第一貫通孔４２２１がある。第一貫通孔４２２１の上部は階段状を呈し、下部の内表面は球面状を呈する。固定カバー４２３は、第一貫通孔４２２１内に嵌め込まれ、その辺縁は凸台４２３１を有する。凸台４２３１は、第一貫通孔４２２１の階段に係合される。固定カバー４２３内に第二貫通孔４２３２がある。第二貫通孔４２３２の内表面も球面状を呈する。第二貫通孔４２３２は、第一貫通孔４２２１と繋がってかつ囲んでボール４１１を収納するための球形凹溝４２１を形成する。
【００１８】
本実施例において、ボール４１１の表面に回転角度を制限するための回転止めヘッド４１１１が設けられている。具体的には、回転止めヘッド４１１１は、ボール４１１の表面から突出する凸部である。凸部の設置により、ボール４１１と球形凹溝４２１との間の摩擦力を高め、マッサージヘッド４３０がロッカーレバー４１０と共に回転することを防止する。
【００１９】
図４、図５に示すように、マッサージヘッド４３０モジュール４００は、さらに防水ゴムカバー４４０を含む。
防水ゴムカバー４４０は、固定モジュール４２０と殻体１００との間に挟設された開口端４４１及び穿孔を有する閉鎖端４４２を備える。
ロッカーレバー４１０は、下端が開口端４４１から入り込んでかつ穿孔から伸びる。
図に示すように、防水ゴムカバー４４０に包まれることにより、マッサージヘッド４３０のみが殻体１００から露出するため、水が殻体１００の内部に入る場合に部材損壊を避けることができる。
【００２０】
さらに、本実施例において、防水ゴムカバー４４０は、しわ４４３を備える。マッサージヘッド４３０は運動する際に防水ゴムカバー４４０を動かして運動させる。しわ４４３の設置により、防水ゴムカバー４４０の運動範囲がさらに大きくなるため、マッサージヘッド４３０は、さらに自由に揺動することができる。また、防水ゴムカバー４４０は、柔軟なゴム材料で製造されるため、手触りがよく、硬質材料を使用した場合に頭皮を挟んで引っ張ることを避けることができる。
【００２１】
マッサージヘッド４３０モジュール４００は、さらにマッサージヘッド固定部材４５０を含む。
マッサージヘッド固定部材４５０は、円柱状軸スリーブであり、ロッカーレバー４１０の下端に固定され、その先端が防水ゴムカバー４４０に固定接続され、その下端部がマッサージヘッド４３０に固定接続されている。取付溝４４４は、防水ゴムカバー４４０に穿孔の外側に位置し、環状的に設けられている。マッサージヘッド固定部材４５０は、先端が取付溝４４４内に入り込み、その先端の端面にカードスロット４５１が設けられている。取付溝４４４のカードスロット４５１内に係合できるブロック４４５が設けられている。マッサージヘッド固定部材４５０は、防水ゴムカバー４４０に密着して接続され、密封レベルを向上させる。
【００２２】
マッサージヘッド固定部材４５０は、中心孔４５２を備える。ロッカーレバー４１０は、下端が中心孔４５２内に挿設されている。マッサージヘッド４３０は、上端面に取付孔４３１を備える。マッサージヘッド固定部材４５０の下端が取付孔４３１内に固定されている。
【００２３】
図３に示すように、本実施例において、ウォームギヤー減速モジュール３１０は、モータ２００の出力軸に固定されたウォーム３１１と、ウォーム３１１の両側に位置してかつウォーム３１１と噛合する二つのウォームホイール３１２と、二つのウォームホイール３１２と噛合する二つのギヤーセット３１３とを含む。駆動歯車３２０は、四つある。
各ギヤーセット３１３は、二つの駆動歯車３２０の間に位置し、同軸に設置された上歯車３１３１と、下歯車３１３２とを含む。
下歯車３１３２は、ウォームホイール３１２と噛合する。上歯車３１３１は、二つの駆動歯車３２０と噛合する。
【００２４】
本実施例において、マッサージ効果を向上させるために、さらにマッサージヘッド４３０を改良する。図９〜図１２に示すように、各マッサージヘッド４３０は、上部に位置する台座４３２と、台座４３２の底部に設置された複数のマッサージ接触端とを含む。台座４３２の断面は円形を呈する。
複数のマッサージ接触端は、円形状のベースの外縁部に沿って環状に配列された複数の第一マッサージ接触端４３３と、複数の第一マッサージ接触端４３３の内側に位置して環状に配列された複数の第二マッサージ接触端４３４と、複数の第二マッサージ接触端４３４の内側に位置して環状に配列された複数の第三マッサージ接触端４３５とを含む。
複数の前記第一マッサージ接触端４３３は、同じ高さを備える。
複数の前記第二マッサージ接触端４３４は、同じ高さを備える。
複数の前記第三マッサージ接触端４３５は、同じ高さを備える。
マッサージ接触端の高さは、外から内へ次第に大きくなる。
つまり、複数の第一マッサージ接触端４３３の高さは、複数の第二マッサージ接触端４３４の高さより低い。
複数の第二マッサージ接触端４３４の高さは、複数の第三マッサージ接触端４３５の高さより低い。これによって類推できるように、台座４３２がより大きい場合、第三マッサージ接触端４３５の内側に他のマッサージ接触端を引き続き配列する。
複数の第一マッサージ接触端４３３と、複数の第二マッサージ接触端４３４と、複数の第三マッサージ接触端４３５は、いずれも円錐台形状である。つまり台座４３２に近い底面が大きく、台座４３２から離間した上端面が小さい。
【００２５】
本実施例において、マッサージヘッド４３０は、以下のように設計されている。マッサージヘッド４３０は、ロッカーレバー４１０の駆動により揺動作動をする際、複数のマッサージ接触端がいずれも頭皮表面に効果的に接触し、マッサージ効果を保証することができる。
【００２６】
本実施例において、殻体１００内にさらに電池モジュール５００と、それに電気的に接続してかつモータ２００を制御するためのＰＣＢ板６００が設けられている。殻体１００の上表面にスイッチ制御ボタン７００が設けられている。
【００２７】
上記は本発明の優れた実施例に過ぎず、本発明を制限するものではない。本発明が様々な改善及び変化ができ、本分野の技術者は、本発明の精神及び原則の内になされたあらゆる変更、等価取替及び改良等は、本発明の保護範囲に含まれるはずであることを理解すべきである。
【００２８】
［付記］
［付記１］
殻体と、前記殻体内に設けられたモータと、前記モータに駆動される伝動モジュールと、前記伝動モジュールに駆動されてかつ底部が前記殻体から伸びる複数のマッサージヘッドモジュールと、を含み、
前記伝動モジュールは、ウォームギヤー減速モジュールと、前記ウォームギヤー減速モジュールに駆動されて複数の前記マッサージヘッドモジュールをそれぞれ駆動するための複数の駆動歯車と、を含み、
前記複数の駆動歯車は、前記殻体内に水平に設置されており、
各前記マッサージヘッドモジュールは、ロッカーレバーと、固定モジュールと、マッサージヘッドと、を含み、
前記ロッカーレバーは、前記固定モジュールを貫通し、その上端が各前記駆動歯車に斜めに挿設され、その中央部にボールが設けられてかつ前記固定モジュール内に回転可能に設置され、その下端が前記殻体から伸び、
前記マッサージヘッドは、前記ロッカーレバーの下端に固定される、
ことを特徴とする頭皮マッサージ装置。
【００２９】
［付記２］
前記固定モジュールは、貫通した球形凹溝を備え、前記ボールが前記球形凹溝内に設置される、
ことを特徴とする付記１に記載の頭皮マッサージ装置。
【００３０】
［付記３］
前記ボールの表面に回転角度を制限するための回転止めヘッドが設けられた、
ことを特徴とする付記２に記載の頭皮マッサージ装置。
【００３１】
［付記４］
前記固定モジュールは、
第一貫通孔を有する台座と、前記第一貫通孔の上部に嵌め込まれている固定カバーと、を含み、
前記固定カバー内に第二貫通孔があり、前記第二貫通孔は前記第一貫通孔と繋がってかつ囲んで前記ボールを収納するための球形凹溝を形成する、
ことを特徴とする付記２または付記３に記載の頭皮マッサージ装置。
【００３２】
［付記５］
前記マッサージヘッドモジュールは、さらに防水ゴムカバーを含み、
前記防水ゴムカバーは、前記固定モジュールと前記殻体との間に挟設された開口端及び穿孔を有する閉鎖端を備え、
前記ロッカーレバーは、下端が前記穿孔から伸びる、
ことを特徴とする付記１に記載の頭皮マッサージ装置。
【００３３】
［付記６］
前記マッサージヘッドモジュールは、さらにマッサージヘッド固定部材を含み、
前記マッサージヘッド固定部材は、前記ロッカーレバーの下端に固定され、その先端が前記防水ゴムカバーに固定接続され、その下端部が前記マッサージヘッドに固定接続された、
ことを特徴とする付記５に記載の頭皮マッサージ装置。
【００３４】
［付記７］
前記防水ゴムカバーに前記穿孔の外側に位置する取付溝が環状的に設けられ、
前記マッサージヘッド固定部材は、先端が前記取付溝内に入り込み、その先端の端面にカードスロットが設けられ、
前記取付溝の前記カードスロット内に係合できる係合ブロックが設けられた、
ことを特徴とする付記６に記載の頭皮マッサージ装置。
【００３５】
［付記８］
前記マッサージヘッド固定部材は、中心孔を備え、
前記ロッカーレバーは、下端が前記中心孔内に挿設されており、
前記マッサージヘッドは、上端面に取付孔を備え、
前記マッサージヘッド固定部材の下端部が前記取付孔内に固定された、
ことを特徴とする付記５または付記６に記載の頭皮マッサージ装置。
【００３６】
［付記９］
前記ウォームギヤー減速モジュールは、前記モータの出力軸に固定されたウォームと、前記ウォームの両側に位置してかつ前記ウォームと噛合する二つのウォームホイールと、前記二つのウォームホイールと噛合する二つのギヤーセットとを含む、
ことを特徴とする付記１に記載の頭皮マッサージ装置。
【００３７】
［付記１０］
前記駆動歯車は、四つあり、
各前記ギヤーセットは、二つの前記駆動歯車の間に位置し、同軸に設置された上歯車と、下歯車とを含み、
前記下歯車は、前記ウォームホイールと噛合し、
前記上歯車は、前記二つの駆動歯車と噛合する、
ことを特徴とする付記９に記載の頭皮マッサージ装置。
【００３８】
［付記１１］
各前記マッサージヘッドは、上部に位置する台座と、前記台座の底部に設置された複数のマッサージ接触端と、を含み、
前記台座の断面は円形を呈し、
複数の前記マッサージ接触端は、円形状の台座の外縁部に沿って環状に配列された複数の第一マッサージ接触端と、複数の前記第一マッサージ接触端の内側に位置して環状に配列された複数の第二マッサージ接触端と、複数の前記第二マッサージ接触端の内側に位置して環状に配列された複数の第三マッサージ接触端と、を含む、
ことを特徴とするとする付記１に記載の頭皮マッサージ装置。
【００３９】
［付記１２］
複数の前記第一マッサージ接触端は、同じ高さを備え、
複数の前記第二マッサージ接触端は、同じ高さを備え、
複数の前記第三マッサージ接触端は、同じ高さを備える、
ことを特徴とする付記１１に記載の頭皮マッサージ装置。
【００４０】
［付記１３］
複数の前記第一マッサージ接触端の高さ、複数の前記第二マッサージ接触端の高さより低く、
複数の前記第二マッサージ接触端の高さは、複数の前記第三マッサージ接触端の高さより低い、
ことを特徴とする付記１２に記載の頭皮マッサージ装置。
【００４１】
［付記１４］
複数の前記第一マッサージ接触端と、複数の前記第二マッサージ接触端と、複数の前記第三マッサージ接触端は、いずれも円錐台形状である、
ことを特徴とする付記１１に記載の頭皮マッサージ装置。
【符号の説明】
【００４２】
１００    殻体
２００    モータ
３００    伝動モジュール
３１０    ウォームギヤー減速モジュール
３１１    ウォーム
３１２    ウォームホイール
３１３    ギヤーセット
３１３１  上歯車
３１３２  下歯車
３２０    駆動歯車
３２１    傾斜孔
４００    マッサージヘッドモジュール
４１０    ロッカーレバー
４１１    ボール
４１１１  回転止めヘッド
４２０    固定モジュール
４２１    球形凹溝
４２２    台座
４２２１  第一貫通孔
４２３    固定カバー    
４２３１  凸台
４２３２  第二貫通孔
４３０    マッサージヘッド
４３１    取付孔
４３２    台座
４３３    第一マッサージ接触端
４３４    第二マッサージ接触端
４３５    第三マッサージ接触端
４４０    防水ゴムカバー  
４４１    開口端
４４２    閉鎖端        
４４３    しわ        
４４４    取付溝
４４５    係合ブロック
４５０    マッサージヘッド固定部材
４５１    カードスロット
４５２    中心孔
５００    電池モジュール
６００    ＰＣＢ板
７００    スイッチボタン
【図１】
0006793200.tif 000002
【図２】
0006793200.tif 000003
【図３】
0006793200.tif 000004
【図４】
0006793200.tif 000005
【図５】
0006793200.tif 000006
【図６】
0006793200.tif 000007
【図７】
0006793200.tif 000008
【図８】
0006793200.tif 000009
【図９】
0006793200.tif 000010
【図１０】
0006793200.tif 000011